(57)【要約】【課題】インターネット売買システムにおいて、システムのユーザが法律上販売できない商品を販売すること、および法律上購入できない商品を購入することを防止する。【解決手段】管理サーバ２１は、ユーザが販売を希望する販売希望商品商品の属性が、上記販売希望商品の販売を希望するユーザの有する免許で販売できる商品の属性でない場合に、上記販売希望商品を販売不可能な状態にする。一方、販売希望商品商品の属性が、販売希望商品の購入を希望するユーザの有する免許で購入できる商品の属性でない場合に、販売希望商品を購入不可能な状態にする。【選択図】図１
2007304635.tif 000002
【特許請求の範囲】
【請求項１】
ユーザ端末と管理サーバとがネットワークを介して情報のやりとりを行うシステムであって、
上記管理サーバは、
ユーザ端末から、ユーザが販売を希望する販売希望商品を特定する情報を受信する販売希望商品情報受信部と、
上記販売希望商品を販売商品として登録する販売希望商品登録部と、
上記販売商品として登録されている商品を特定する情報を、購入する商品を選択するユーザのユーザ端末に表示させる表示制御部と、
上記販売商品として登録されている商品を特定する情報が表示されたユーザ端末から、ユーザが上記販売希望商品の購入を希望していることを示す購入希望情報を受信する購入希望情報受信部と、
上記販売希望商品の属性が、上記販売希望商品の販売を希望するユーザの有する免許で販売できる商品の属性であるかどうかを判定する販売商品判定部と、
上記販売希望商品の属性が、上記販売希望商品の販売を希望するユーザの有する免許で販売できる商品の属性である場合に、上記販売希望商品を販売可能な状態にする一方、上記販売希望商品の属性が、上記販売希望商品の販売を希望するユーザの有する免許で販売できる商品の属性でない場合に、上記販売希望商品を販売不可能な状態にする販売制御部と、
上記販売希望商品の属性が、上記販売希望商品の購入を希望するユーザの有する免許で購入できる商品の属性であるかどうかを判定する購入商品判定部と、
上記販売希望商品の属性が上記販売希望商品の購入を希望するユーザの有する免許で購入できる商品の属性である場合に、上記販売希望商品を購入可能な状態にする一方、上記販売希望商品の属性が上記販売希望商品の購入を希望するユーザの有する免許で購入できる商品の属性でない場合に、上記販売希望商品を購入不可能な状態にする購入制御部と、
を備えた管理サーバを備えていることを特徴とするネットワーク売買システム。
【請求項２】
請求項１のネットワーク売買システムであって、
上記管理サーバは、さらに
各ユーザの有する免許を示す各ユーザ免許リスト、各免許で販売できる商品の属性を示す各免許販売可能商品リスト、および各免許で購入できる商品の属性を示す各免許購入可能商品リストを記憶する記憶部を備え、
上記販売商品判定部は、
上記各ユーザ免許リストと上記各免許販売可能商品リストとを参照して、上記販売希望商品の属性が、上記販売希望商品の販売を希望するユーザの有する免許で販売できる商品の属性であるかどうかを判定し、
上記購入商品判定部は、
上記各ユーザ免許リストと上記各免許購入可能商品リストとを参照して、上記販売希望商品の属性が、上記販売希望商品の購入を希望するユーザの有する免許で購入できる商品の属性であるかどうかを判定するように構成されていることを特徴とするネットワーク売買システム。
【請求項３】
請求項１のネットワーク売買システムであって、
上記販売制御部は、
上記販売希望商品の属性が上記販売希望商品の販売を希望するユーザの有する免許で販売できる商品の属性ではない場合に、上記販売希望商品登録部が上記販売希望商品を販売商品として登録するのを阻止する処理を行うように構成されていることを特徴とするネットワーク売買システム。
【請求項４】
請求項１のネットワーク売買システムであって、
上記販売制御部は、
上記販売希望商品の属性が上記販売希望商品の販売を希望するユーザの有する免許で販売できる商品の属性ではない場合に、上記表示制御部が上記販売希望商品を特定する情報を、購入する商品を選択するユーザのユーザ端末に表示させるのを阻止する処理を行うように構成されていることを特徴とするネットワーク売買システム。
【請求項５】
請求項１のネットワーク売買システムであって、
上記購入制御部は、
上記販売希望商品の属性が上記販売希望商品の購入を希望するユーザの有する免許で購入できる商品の属性でない場合に、上記販売希望商品の購入を希望するユーザのユーザ端末が上記購入希望情報を送信するのを阻止する処理を行うように構成されていることを特徴とするネットワーク売買システム。
【請求項６】
請求項５のネットワーク売買システムであって、
上記ユーザ端末は、
モニタに表示される所定の表示に対して所定の操作がされることによって、上記販売希望商品を購入することを示す情報を上記管理サーバに送信するように構成され、
上記販売希望商品の購入を希望するユーザのユーザ端末が上記購入希望情報を送信するのを阻止する処理は、上記所定の表示を上記販売希望商品の購入を希望するユーザのユーザ端末に表示させないことであることを特徴とするネットワーク売買システム。
【請求項７】
請求項１のネットワーク売買システムであって、
上記販売希望商品の属性は、商品の種類であり、
上記購入商品判定部は、さらに、
上記販売希望商品の販売を希望するユーザの業種が、上記販売希望商品の購入を希望するユーザの有する免許で購入できるユーザの業種であるかどうかを判定し、
上記購入制御部は、さらに、
上記販売希望商品の販売を希望するユーザの業種が、上記販売希望商品の購入を希望するユーザの有する免許で商品を購入できるユーザの業種でない場合に、上記販売希望商品を購入不可能な状態にするように構成されていることを特徴とするネットワーク売買システム。
【請求項８】
請求項７のネットワーク売買システムであって、
上記管理サーバは、さらに、
各ユーザの有する免許を示す各ユーザ免許リスト、各免許で商品を購入できる販売者の業種を示す各免許購入可能販売者業種リストを記憶する記憶部を備え、
上記購入商品判定部は、
上記各ユーザ免許リストと上記各免許購入可能販売者業種リストとを参照して、上記販売希望商品の販売を希望するユーザの業種が、上記販売希望商品の購入を希望するユーザの有する免許で商品を購入できるユーザの業種であるかどうかを判定するように構成されていることを特徴とするネットワーク売買システム。
【発明の詳細な説明】
【技術分野】
【０００１】
本発明は、所定の免許や資格を有する個人や業者にしか購入や販売が許されない商品や、特定の業種の業者にしか購入や販売が許されない商品の売買を仲介するネットワーク売買システムに関し、例えば、医薬品の売買を仲介するインターネット通信販売システムやインターネットオークションシステムに関するものである。
【背景技術】
【０００２】
販売に免許や届出が法律上必要となる商品の売買をインターネット上で仲介する従来のシステムにおいては、販売者をインターネットショップの出店者として登録する際に、免許等の必要書類の確認、すなわち出店審査が行われるようになっていることが知られている（非特許文献１参照）。
【非特許文献１】楽天株式会社、［平成１８年３月２９日検索］、インターネット＜ＵＲＬ：http://www.rakuten.co.jp/ec/open/＞
【発明の開示】
【発明が解決しようとする課題】
【０００３】
しかしながら、上記のように、販売者を出店者として登録する際に出店審査が行われても、その後、実際に個々の商品を販売する際に何の確認も行われないのでは、出店者が法律上販売できない商品を販売してしまうおそれがある。
【０００４】
本発明は、上記の点に鑑み、インターネット売買システムにおいて、システムのユーザが法律上販売できない商品を販売することを防止することを目的とする。
【０００５】
さらに、システムのユーザが法律上購入できない商品を購入することも防止することも目的とする。
【課題を解決するための手段】
【０００６】
上記の課題を解決するため、請求項１の発明は、
ユーザ端末と管理サーバとがネットワークを介して情報のやりとりを行うシステムであって、
上記管理サーバは、
ユーザ端末から、ユーザが販売を希望する販売希望商品を特定する情報を受信する販売希望商品情報受信部と、
上記販売希望商品を販売商品として登録する販売希望商品登録部と、
上記販売商品として登録されている商品を特定する情報を、購入する商品を選択するユーザのユーザ端末に表示させる表示制御部と、
上記販売商品として登録されている商品を特定する情報が表示されたユーザ端末から、ユーザが上記販売希望商品の購入を希望していることを示す購入希望情報を受信する購入希望情報受信部と、
上記販売希望商品の属性が、上記販売希望商品の販売を希望するユーザの有する免許で販売できる商品の属性であるかどうかを判定する販売商品判定部と、
上記販売希望商品の属性が、上記販売希望商品の販売を希望するユーザの有する免許で販売できる商品の属性である場合に、上記販売希望商品を販売可能な状態にする一方、上記販売希望商品の属性が、上記販売希望商品の販売を希望するユーザの有する免許で販売できる商品の属性でない場合に、上記販売希望商品を販売不可能な状態にする販売制御部と、
上記販売希望商品の属性が、上記販売希望商品の購入を希望するユーザの有する免許で購入できる商品の属性であるかどうかを判定する購入商品判定部と、
上記販売希望商品の属性が上記販売希望商品の購入を希望するユーザの有する免許で購入できる商品の属性である場合に、上記販売希望商品を購入可能な状態にする一方、上記販売希望商品の属性が上記販売希望商品の購入を希望するユーザの有する免許で購入できる商品の属性でない場合に、上記販売希望商品を購入不可能な状態にする購入制御部と、
を備えた管理サーバを備えていることを特徴とする。
【０００７】
これにより、販売希望商品の属性が、販売希望商品の販売を希望するユーザの有する免許で販売できる商品の属性でない場合、当該販売希望商品は販売制御部によって販売不可能な状態にされる。また、販売希望商品の属性が、販売希望商品の購入を希望するユーザの有する免許で購入できる商品の属性でない場合、当該販売希望商品は購入制御部によって購入不可能な状態にされる。
【０００８】
請求項２の発明は、
請求項１のネットワーク売買システムであって、
上記管理サーバは、さらに
各ユーザの有する免許を示す各ユーザ免許リスト、各免許で販売できる商品の属性を示す各免許販売可能商品リスト、および各免許で購入できる商品の属性を示す各免許購入可能商品リストを記憶する記憶部を備え、
上記販売商品判定部は、
上記各ユーザ免許リストと上記各免許販売可能商品リストとを参照して、上記販売希望商品の属性が、上記販売希望商品の販売を希望するユーザの有する免許で販売できる商品の属性であるかどうかを判定し、
上記購入商品判定部は、
上記各ユーザ免許リストと上記各免許購入可能商品リストとを参照して、上記販売希望商品の属性が、上記販売希望商品の購入を希望するユーザの有する免許で購入できる商品の属性であるかどうかを判定するように構成されていることを特徴とする。
【０００９】
これにより、販売希望商品の属性が、販売希望商品の販売を希望するユーザの有する免許で販売できる商品の属性であるかどうか、および販売希望商品の属性が、販売希望商品の購入を希望するユーザの有する免許で購入できる商品の属性であるかどうかが、容易に判定される。
【００１０】
請求項３の発明は、
請求項１のネットワーク売買システムであって、
上記販売制御部は、
上記販売希望商品の属性が上記販売希望商品の販売を希望するユーザの有する免許で販売できる商品の属性ではない場合に、上記販売希望商品登録部が上記販売希望商品を販売商品として登録するのを阻止する処理を行うように構成されていることを特徴とする。
【００１１】
これにより、販売希望商品の属性が販売希望商品の販売を希望するユーザの有する免許で販売できる商品の属性ではない場合に、当該販売希望商品は、販売希望商品登録部に販売商品として登録されないので、販売されることが防止される。
【００１２】
請求項４の発明は、
請求項１のネットワーク売買システムであって、
上記販売制御部は、
上記販売希望商品の属性が上記販売希望商品の販売を希望するユーザの有する免許で販売できる商品の属性ではない場合に、上記表示制御部が上記販売希望商品を特定する情報を、購入する商品を選択するユーザのユーザ端末に表示させるのを阻止する処理を行うように構成されていることを特徴とする。
【００１３】
これにより、販売希望商品の属性が販売希望商品の販売を希望するユーザの有する免許で販売できる商品の属性ではない場合に、当該販売希望商品を特定する情報は、購入する商品を選択するユーザのユーザ端末に表示されないので、当該販売希望商品は販売されることが防止される。
【００１４】
請求項５の発明は、
請求項１のネットワーク売買システムであって、
上記購入制御部は、
上記販売希望商品の属性が上記販売希望商品の購入を希望するユーザの有する免許で購入できる商品の属性でない場合に、上記販売希望商品の購入を希望するユーザのユーザ端末が上記購入希望情報を送信するのを阻止する処理を行うように構成されていることを特徴とする。
【００１５】
これにより、販売希望商品の属性が上記販売希望商品の購入を希望するユーザの有する免許で購入できる商品の属性でない場合に、当該販売希望商品の購入を希望するユーザは、ユーザ端末から購入希望情報を送信できないので、当該販売希望商品を購入できない。
【００１６】
請求項６の発明は、
請求項５のネットワーク売買システムであって、
上記ユーザ端末は、
モニタに表示される所定の表示に対して所定の操作がされることによって、上記販売希望商品を購入することを示す情報を上記管理サーバに送信するように構成され、
上記販売希望商品の購入を希望するユーザのユーザ端末が上記購入希望情報を送信するのを阻止する処理は、上記所定の表示を上記販売希望商品の購入を希望するユーザのユーザ端末に表示させないことであることを特徴とする。
【００１７】
これにより、販売希望商品の購入を希望するユーザのユーザ端末が購入希望情報を送信するのを容易に阻止できる。
【００１８】
請求項７の発明は、
請求項１のネットワーク売買システムであって、
上記販売希望商品の属性は、商品の種類であり、
上記購入商品判定部は、さらに、
上記販売希望商品の販売を希望するユーザの業種が、上記販売希望商品の購入を希望するユーザの有する免許で購入できるユーザの業種であるかどうかを判定し、
上記購入制御部は、さらに、
上記販売希望商品の販売を希望するユーザの業種が、上記販売希望商品の購入を希望するユーザの有する免許で商品を購入できるユーザの業種でない場合に、上記販売希望商品を購入不可能な状態にするように構成されていることを特徴とする。
【００１９】
これにより、販売希望商品の販売を希望するユーザの業種が、販売希望商品の購入を希望するユーザの有する免許で商品を購入できるユーザの業種でない場合、当該販売希望商品は購入制御部によって購入不可能な状態にされる。
【００２０】
請求項８の発明は、
請求項７のネットワーク売買システムであって、
上記管理サーバは、さらに、
各ユーザの有する免許を示す各ユーザ免許リスト、各免許で商品を購入できる販売者の業種を示す各免許購入可能販売者業種リストを記憶する記憶部を備え、
上記購入商品判定部は、
上記各ユーザ免許リストと上記各免許購入可能販売者業種リストとを参照して、上記販売希望商品の販売を希望するユーザの業種が、上記販売希望商品の購入を希望するユーザの有する免許で商品を購入できるユーザの業種であるかどうかを判定するように構成されていることを特徴とする。
【００２１】
これにより、販売希望商品の販売を希望するユーザの業種が、販売希望商品の購入を希望するユーザの有する免許で商品を購入できるユーザの業種であるかどうかが、容易に判定される。
【発明の効果】
【００２２】
インターネット売買システムにおいて、システムのユーザが法律上販売できない商品を販売すること、およびシステムのユーザが法律上購入できない商品を購入することが防止される。
【発明を実施するための最良の形態】
【００２３】
以下、本発明の実施形態について、図面を参照して説明する。なお、以下の各実施形態において、他の実施形態と同様の機能を有する構成要素については同一の符号を付して説明を省略する。
【００２４】
《発明の実施形態１》
まず、本発明の実施形態１に係るネットワーク売買システムの構成および概要について説明する。
【００２５】
本実施形態に係るネットワーク売買システムの構成を図１に示す。
【００２６】
本実施形態のネットワーク売買システムは、ユーザ１ａ〜１ｆによる商品売買契約を成立させるためのシステムである。同図に示すように、本実施形態のネットワーク売買システムでは、インターネット上でユーザ端末１１ａ〜１１ｆと管理サーバ２１とが情報のやりとりを行うようになっている。また、管理サーバ２１は、各ユーザ免許リスト２２，各免許販売可能商品ジャンルリスト２３（各免許販売可能商品リスト）、各免許購入可能商品ジャンルリスト２４（各免許購入可能商品リスト）、各ユーザ業種リスト２５、および各免許購入可能販売者業種リスト２６を記憶するデータベースを備えている。
【００２７】
管理サーバ２１は、ユーザが販売を希望する販売希望商品を販売商品として登録し、登録されている販売希望商品を、商品の購入を希望してユーザ端末から管理サーバ２１にアクセスするユーザに販売するようになっている。
【００２８】
管理サーバ２１は、ユーザ端末１１ａ〜１１ｆから、ユーザ１ａ〜１ｆがそれぞれ販売を希望する販売希望商品を特定する情報を受信し、各販売希望商品の商品ジャンルがその販売希望商品の販売を希望するユーザの有する免許で販売できる商品の商品ジャンルであるかどうかを判定するようになっている。この判定は、図２に示す各ユーザ免許リスト２２、および図３に示す各免許販売可能商品ジャンルリスト２３を参照して行われるようになっている。そして、各販売希望商品の商品ジャンルがその販売希望商品の販売を希望するユーザの有する免許で販売できる商品の商品ジャンルである場合には、その販売希望商品を販売可能な状態にする一方、そうでない場合には、その販売希望商品を販売不可能な状態にするようになっている。
【００２９】
また、管理サーバ２１は、各販売希望商品の商品ジャンルがその販売希望商品の購入を希望するユーザの有する免許で購入できる商品の商品ジャンルであるかどうか、およびその販売希望商品の販売を希望するユーザの業種がその販売希望商品の購入を希望するユーザの有する免許で商品を購入の可能な業種であるかどうかを判定するようになっている。この判定は、図２に示す各ユーザ免許リスト２２、図４に示す各免許購入可能商品ジャンルリスト２４、図５に示す各ユーザ業種リスト２５、および図６に示す各免許購入可能販売者業種リスト２６を参照して行われるようになっている。そして、各販売希望商品の商品ジャンルがその販売希望商品の購入を希望するユーザの有する免許で購入できる商品の商品ジャンルであり、かつその販売希望商品の販売を希望するユーザの業種がその販売希望商品の購入を希望するユーザの有する免許で商品の購入が可能な業種である場合には、その販売希望商品を購入可能な状態にする一方、そうでない場合には、その販売希望商品を購入不可能な状態にするようになっている。
【００３０】
管理サーバ２１は、具体的には、例えば、ＣＰＵ、メモリ、記憶装置、および入出力装置等を備えたコンピュータにソフトウェアが組み込まれて構成されるが、機能的には、図７および図９に示すような各ステップを実行する機能を有する各部を備えて構成されている。
【００３１】
まず、ユーザが販売を希望する販売希望商品を販売商品として管理サーバ２１に登録させる場合に管理サーバ２１が実行するステップについて、図７を参照して説明する。
【００３２】
（Ｓ１００１）
管理サーバ２１は、ユーザのログインを受け付ける。具体的には、ユーザ端末１１ａ〜１１ｆのいずれかに入力されたユーザＩＤ等を受信する。
【００３３】
（Ｓ１００２）
管理サーバ２１は、ログインしたユーザの免許で販売できる商品の商品ジャンルをユーザ端末に表示させる。この時、管理サーバ２１は、各ユーザ免許リスト２２と各免許販売可能商品ジャンルリスト２３を参照する。
【００３４】
ここで、どのようにして管理サーバ２１によってログインしたユーザの免許で販売できる商品の商品ジャンルがユーザ端末に表示されるのかについて、ログインしているユーザがユーザ１ａである場合を例として説明する。図２に示すように、ユーザ１ａの有する免許は、「医療品卸売販売業免許」と「薬剤師免許」である。そして、図３に示すように、「医療品卸売販売業免許」で販売できる商品の商品ジャンルは「医薬部外品」であり、「薬剤師免許」で販売できる商品の商品ジャンルは「医薬部外品」と「健康食品」である。したがって、この場合、管理サーバ２１は、ユーザ１ａの有する免許で販売できる商品の商品ジャンルとして、「医薬部外品」と「健康食品」を、ユーザ端末１１ａに表示させる。
【００３５】
（Ｓ１００３）
管理サーバ２１は、（Ｓ１００２）でユーザ端末に表示された商品ジャンルのうち、ユーザによっていずれが選択されたかを示す情報をユーザ端末から受信して記録する。
【００３６】
例えば、ユーザ１ａが、（Ｓ１００２）でユーザ端末１１ａに表示された「医薬部外品」と「健康食品」のうち「医薬部外品」を指定すると、「医薬部外品」が選択されたことを示す情報が管理サーバ２１によって受信される。
【００３７】
（Ｓ１００４）
管理サーバ２１は、（Ｓ１００３）で選択された商品ジャンルの商品についての種々の情報をユーザ端末から受信することにより、販売希望商品を販売商品として登録する。本実施形態では、（Ｓ１００３）および（Ｓ１００４）において、例えば図８に示すように、販売希望商品の「商品セット名」、「商品名」、「商品カテゴリ」、「商品ジャンル」および「販売店舗」が記録される。なお、「商品価格」や「在庫数」等も記録されるようにしてもよい。ここで、「商品カテゴリ」は、購入者に商品を選択させるために便宜上設けた商品区分であり、「商品ジャンル」は、例えば「医薬品」、「医薬部外品」等、ユーザの有する免許で購入や販売をできるかどうかの判定に関わる商品区分である。
【００３８】
上記のように、（Ｓ１００２）でユーザの免許で販売できない商品の商品ジャンルはユーザ端末に表示されないので、ユーザは、ユーザの免許で販売できない商品の商品ジャンルを選択することはできない。したがって、ユーザは、ユーザの免許では販売できない商品の商品ジャンルの販売希望商品を、管理サーバ２１に販売商品として登録させることができない。
【００３９】
次に、商品の購入を希望するユーザ（以下、購入希望ユーザ）が、ユーザ端末から管理サーバ２１にアクセスした場合に管理サーバ２１が実行するステップについて、図９を参照して説明する。
【００４０】
（Ｓ２００１）
管理サーバ２１は、購入希望ユーザのログインを受け付ける。具体的には、ユーザ端末１１ａ〜１１ｆのいずれかに入力されたユーザＩＤ等を受信する。
【００４１】
（Ｓ２００２）
管理サーバ２１は、販売希望商品を登録している店舗名を購入希望ユーザがログインしたユーザ端末（以下、購入希望ユーザ端末）に表示させる。ユーザ端末に表示される画面の例を図１０に示す。ここで、図１０に示された「タナカ薬品」、「ヤマダドットコム」、「ヤマモト製薬」はそれぞれユーザ１ｂ、ユーザ１ｃ、ユーザ１ｅが商品を販売する店舗名であるとする。
【００４２】
（Ｓ２００３）
管理サーバ２１は、（Ｓ２００２）で店舗名が表示された店舗のうち、購入希望ユーザによっていずれの店舗が選択されたかを示す情報を購入希望ユーザ端末から受信する。
【００４３】
例えば、図１０に示した画面上でいずれかの店舗の表示がマウスでクリックされることにより、管理サーバ２１に、購入希望ユーザによっていずれの店舗が選択されたかを示す情報が送信される。
【００４４】
（Ｓ２００４）
管理サーバ２１は、（Ｓ２００３）で選択された店舗に登録されている販売希望商品の商品カテゴリを購入希望ユーザ端末に表示させる。
【００４５】
購入希望ユーザ端末に表示される画面の例を図１１に示す。図１１は、（Ｓ２００３）で、図１０に示された「タナカ薬品」、「ヤマダドットコム」、および「ヤマモト製薬」のうち「タナカ薬品」が選択された場合の例である。
【００４６】
（Ｓ２００５）
管理サーバ２１は、（Ｓ２００４）で表示された商品カテゴリのうち、購入希望ユーザによっていずれの商品カテゴリが選択されたかを示す情報を購入希望ユーザ端末から受信する。
【００４７】
例えば、図１１に示した画面上でいずれかの商品カテゴリの表示がマウスでクリックされることにより、管理サーバ２１に、購入希望ユーザによっていずれの商品カテゴリが選択されたかを示す情報が送信される。
【００４８】
（Ｓ２００６）
管理サーバ２１は、（Ｓ２００５）で購入希望ユーザによって選択された商品カテゴリの商品のうち、商品ジャンルがその商品の販売を希望するユーザの免許で販売できる商品の商品ジャンルに含まれるものの商品名を購入希望ユーザ端末に表示させる。
【００４９】
ここで、（Ｓ１００１）〜（Ｓ１００４）のように販売希望商品の登録時に、商品の販売を希望するユーザの免許のチェックが行われるようにする場合には、このような商品カテゴリの商品を表示する際の免許のチェックは必ずしも行われなくてもよいが、行われるようにして確実を期するようにしてもよい。また、登録時のチェックは行われず、販売時のチェックだけが行われるようにしてもよい。
【００５０】
上記チェックは、各ユーザ免許リスト２２と各免許販売可能商品ジャンルリスト２３を参照することによって行われる。
【００５１】
具体的には、例えば、（Ｓ２００５）で、図１１に示された「化粧品」、「滋養強壮」、「胃腸薬」、および「ヘアケア」のうち「胃腸薬」が選択され、商品カテゴリが「胃腸薬」の商品が、「胃腸薬Ａ」〜「胃腸薬Ｄ」であり、「胃腸薬Ａ」、「胃腸薬Ｃ」、および「胃腸薬Ｄ」の商品ジャンルは「医薬品」であり、「胃腸薬Ｂ」の商品ジャンルは「健康食品」であるとする。この場合、「胃腸薬Ａ」〜「胃腸薬Ｄ」の販売を希望するユーザ１ｂ（店舗名「タナカ薬品」）の有する免許は、「医師免許」である。そして、図３に示すように、「医師免許」で販売できる商品の商品ジャンルは、「医薬品」「医薬部外品」、および「医療器具」である。したがって、「胃腸薬Ａ」、「胃腸薬Ｃ」、および「胃腸薬Ｄ」は表示されるが、「胃腸薬Ｂ」は表示されない。したがって、図１２に示すような画面が購入希望ユーザ端末に表示される。
【００５２】
（Ｓ２００７）
管理サーバ２１は、（Ｓ２００６）で商品名が表示された商品のうち、購入希望ユーザによっていずれの商品が選択されたかを示す情報を購入希望ユーザ端末から受信する。
【００５３】
例えば、図１２に示した画面上でいずれかの商品の表示がマウスでクリックされることにより、管理サーバ２１に、購入希望ユーザによっていずれの商品が選択されたかを示す情報が送信される。
【００５４】
（Ｓ２００８）
管理サーバ２１は、（Ｓ２００７）で購入希望ユーザによって選択された商品の商品ジャンルが、その商品の販売を希望するユーザの免許で販売できる商品の商品ジャンルに含まれるものかどうかを判定する。含まれるものであれば（Ｓ２００９）の動作に進み、含まれるものでなければ（Ｓ２０１０）の動作に進む。
【００５５】
なお、このような判定も、（Ｓ１００２）や（Ｓ２００６）でのチェックの少なくとも一方が行われる場合には、必ずしも行われなくてもよく、少なくとも１つ以上のチェックが行われるようにすればよい。
【００５６】
上記判定は、各ユーザ免許リスト２２と各免許販売可能商品ジャンルリスト２３を参照して行われる。具体的には、例えば、（Ｓ２００７）で、図１２に示された「胃腸薬Ａ」、「胃腸薬Ｃ」、および「胃腸薬Ｄ」のうち「胃腸薬Ｃ」が選択された場合、「胃腸薬Ｃ」の商品ジャンルが、「胃腸薬Ｃ」の販売を希望するユーザ、すなわちユーザ１ｂ（店舗名「タナカ薬品」）の免許で販売できる商品の商品ジャンルに含まれるかどうかが判定される。ここで、「胃腸薬Ｃ」の商品ジャンルは、「医薬品」であるとする。図２に示すように、ユーザ１ｂの有する免許は、「医師免許」である。そして、図３に示すように、「医師免許」で販売できる商品の商品ジャンルは、「医薬品」「医薬部外品」、および「医療器具」である。この場合、「医薬品」は「医師免許」で販売できる商品の商品ジャンルに含まれているので、管理サーバ２１は（Ｓ２００９）の処理に移行する。
【００５７】
（Ｓ２００９）
管理サーバ２１は、（Ｓ２００７）で購入希望ユーザによって選択された商品の商品ジャンルが、購入希望ユーザの免許で購入できる商品の商品ジャンルに含まれるものかどうかを判定する。含まれるものであれば（Ｓ２０１１）の動作に進み、含まれるものでなければ（Ｓ２０１３）の動作に進む。管理サーバ２１は、判定のために各ユーザ免許リスト２２と各免許購入可能商品ジャンルリスト２４を参照する。
【００５８】
例えば、（Ｓ２００７）で、図１２に示された「胃腸薬Ａ」、「胃腸薬Ｃ」、および「胃腸薬Ｄ」のうち「胃腸薬Ｃ」が選択された場合、「胃腸薬Ｃ」の商品ジャンルが、購入希望ユーザの免許で購入できる商品の商品ジャンルに含まれるかどうかが判定される。ここで、「胃腸薬Ｃ」の商品ジャンルは、「医薬品」であり、購入希望ユーザがユーザ１ｆであるとする。図２に示すように、ユーザ１ｆの有する免許は、「薬剤師免許」である。そして、図４に示すように「薬剤師免許」で購入できる商品の商品ジャンルは、「医薬品」、「医薬部外品」および「健康食品」である。このように、「薬剤師免許」で購入できる商品の商品ジャンルに「医薬品」が含まれているので、管理サーバは（Ｓ２０１１）の動作に進む。
【００５９】
（Ｓ２０１０）
管理サーバ２１は、（Ｓ２００７）で購入希望ユーザによって選択された商品を販売できないことを示すメッセージを購入希望ユーザ端末に表示させる。
【００６０】
「胃腸薬Ｃ」を販売できないことを示すメッセージが購入希望ユーザ端末に表示されている画面の例を図１３に示す。
【００６１】
（Ｓ２０１１）
管理サーバ２１は、（Ｓ２００７）で購入希望ユーザによって選択された商品の販売を希望するユーザの業種が、購入希望ユーザの免許で商品を購入できる業種に含まれるものかどうかを判定する。含まれるものであれば（Ｓ２０１２）の動作に進み、含まれるものでなければ（Ｓ２０１３）の動作に進む。
【００６２】
例えば、購入希望ユーザがユーザ１ｆであり、（Ｓ２００３）で選択される店舗がユーザ１ｂの店舗「タナカ薬品」であり、（Ｓ２００７）で、図１２に示された「胃腸薬Ａ」、「胃腸薬Ｃ」、および「胃腸薬Ｄ」のうち「胃腸薬Ｃ」が選択された場合、ユーザ１ｂの業種がユーザ１ｆの免許で商品を購入できる業種に含まれるものかどうかが判定される。図２に示すように、ユーザ１ｆの有する免許は、「薬剤師免許」である。また、図５に示すように、ユーザ１ｂの業種は、「小売業者」である。図６に示すように、「薬剤師免許」を有するユーザが商品を購入できる業種は「小売業者」と「卸売業者」である。このように、ユーザ１ｂの業種は、ユーザ１ｆの有する免許で商品を購入できる業種に含まれるので、管理サーバ２１は（Ｓ２０１２）の動作に進む。
【００６３】
（Ｓ２０１２）
管理サーバ２１は、（Ｓ２００７）で購入希望ユーザによって選択された商品の商品セット名、および購入ボタンを購入希望ユーザ端末に表示する。購入希望ユーザ端末に表示される画面の例を図１４に示す。購入希望ユーザは、購入希望ユーザ端末に表示された購入ボタンをクリックすることによって、商品セットを購入できる。
【００６４】
（Ｓ２０１３）
管理サーバ２１は、（Ｓ２００７）で購入希望ユーザによって選択された商品の商品セット名を購入希望ユーザ端末に表示する。購入希望ユーザ端末に表示される画面の例を図１５に示す。ここでは、商品セット名は表示されるが、購入ボタンは表示されない。したがって、購入希望ユーザは商品セットを購入できない。
【００６５】
上記のように、商品ジャンルがその商品の販売を希望するユーザの免許で販売できる商品の商品ジャンルに含まれない商品は、（Ｓ２００６）でその商品名が表示されないので、購入希望ユーザによって購入されることはない。また、（Ｓ２００７）で購入希望ユーザによって、商品ジャンルがその商品の販売を希望するユーザの免許で販売できる商品の商品ジャンルに含まれない商品が選択された場合、（Ｓ２００８）における判定によって処理が（Ｓ２０１０）に進むので、購入希望ユーザは選択した商品を購入できない。
【００６６】
また、（Ｓ２００７）で購入希望ユーザによって、商品ジャンルが購入希望ユーザの免許で購入できる商品の商品ジャンルに含まれない商品が選択された場合、（Ｓ２００９）における判定によって、処理が（Ｓ２０１３）に進むので、購入希望ユーザは、商品セットを購入できない。
【００６７】
さらに、（Ｓ２００７）で購入希望ユーザによって選択された商品の販売を希望するユーザの業種が、購入希望ユーザの免許で商品を購入できるユーザの業種に含まれない場合、（Ｓ２０１１）における判定によって処理が（Ｓ２０１３）に進むので、購入希望ユーザは、商品セットを購入できない。
【００６８】
なお、本実施形態では、ユーザの免許では販売できない商品の商品ジャンルの商品は、管理サーバ２１への登録、および商品を特定する情報の購入希望ユーザ端末への表示が阻止されることによって、販売不可能な状態にされているが、登録と表示のいずれか一方が阻止されればよい。また、商品を特定する情報の購入希望ユーザ端末への表示の阻止は、（Ｓ２００６）と、（Ｓ２００８）および（Ｓ２０１０）との２つの方法で行われているが、いずれか１つの方法で行われるようにしてもよい。
【００６９】
《発明の実施形態２》
発明の実施形態２のネットワーク売買システムは、実施形態１のネットワーク売買システムと同様の構成を有するが、管理サーバ２１が、実施形態１の機能に加え、購入するか販売するかの判断時等に免許の確認をするようになっている。例えば、（Ｓ１００１）の後で、図１６に示すようなステップを実行する機能を備えている点で実施形態１のネットワーク売買システムと異なっている。
【００７０】
（Ｓ３００１）  管理サーバ２１は、ログインしたユーザの免許で販売できる商品があるかどうかを判定する。この時、管理サーバ２１は、各ユーザ免許リスト２２と各免許販売可能商品ジャンルリスト２３を参照する。ある場合は、（Ｓ３００２）の処理に進み、ない場合は（Ｓ２００２）の処理に進む。
【００７１】
例えば、ログインしたユーザがユーザ１ｄである場合、図２に示すように、ユーザ１ｄの有する免許は「獣医免許」であり、図３に示すように、「獣医免許」で販売できる商品はないので、管理サーバ２１は（Ｓ２００２）の処理に進む。
【００７２】
（Ｓ３００２）  管理サーバ２１は、ログインしたユーザのユーザ端末の画面に販売商品登録ボタンと購入商品選択ボタンを表示する。図１７は、ログインしたユーザのユーザ端末に表示される画面の例である。
【００７３】
（Ｓ３００３）  管理サーバ２１は、ログインしたユーザが販売商品の登録と購入商品の選択とのいずれを希望するかを示す情報をログインしたユーザのユーザ端末から受信する。例えば、図１７に示した画面上で販売商品登録ボタンと購入商品選択ボタンのいずれか一方がマウスでクリックされることにより、管理サーバ２１に、ログインしたユーザが販売商品の登録と販売商品登録のいずれを希望するかを示す情報が送信される。
【００７４】
（Ｓ３００４）  ログインしたユーザが販売商品の登録を希望する場合には、（Ｓ１００２）の処理に進み、購入商品の選択を希望する場合には、（Ｓ２００２）の処理に進む。
【００７５】
このように、管理サーバ２１が、商品を販売するための免許を有しないユーザのユーザ端末に対しては、（Ｓ１００２）〜（Ｓ１００４）の処理、すなわちユーザに販売する商品の登録を促す処理を行わないようになっているので、商品を販売するための免許を有しないユーザが商品を販売することはない。
【００７６】
《その他の実施形態》
なお、実施形態１と実施形態２では、管理サーバ２１が図７、図９、図１６で示す順番で処理を実行するようになっていたが、必ずしもこの順番で処理を実行しなくてもよい。例えば、（Ｓ２００６）で、購入希望ユーザの免許で購入できない商品は表示されないようにする等、（Ｓ２００９）の購入側のユーザの免許のチェックがより早い段階で行われるようにしてもよい。また、（Ｓ２００２）で、購入希望ユーザの免許で商品を購入できない業種のユーザの店舗名が表示されないようにする等、（Ｓ２０１１）の商品を販売するユーザの業種のチェックがより早い段階で行われるようにしてもよい。また、購入側のユーザの免許のチェック、販売側のユーザの免許のチェック、および販売側の業種のチェックがすべて、最小区分の商品（上記例では「商品セット」）が選択されてから行われるようにしてもよい。つまり、購入側のユーザの免許のチェック、販売側のユーザの免許のチェック、および販売側のユーザの業種のチェックが、売買契約成立までに行われ、購入側のユーザの免許、販売側のユーザの免許、または販売側のユーザの業種が商品の購入や販売に不適当なものであった場合には売買契約成立が阻止されるようにすればよい。また、購入側のユーザの免許のチェック、販売側のユーザの免許のチェック、および販売側の業種のチェックのすべてが行われるのではなく、そのうちの１つ、または２つが行われるようにしてもよい。また、ユーザのログインも必ずしも最初に行われる必要はなく、免許のチェックが行われる際にユーザが識別されさえすればよい。
【００７７】
また、本発明は、オークション形式で商品が売買される場合にも適用できる。実施形態１では、購入希望ユーザ端末に購入ボタンを表示する処理、つまり購入希望ユーザに購入を促す処理を行わないことによって、管理サーバが購入を阻止していたが、オークション形式の場合であっても、管理サーバが購入希望ユーザに入札や購入を促す処理を行わないことによって購入を阻止することができる。
【００７８】
また、管理サーバは、複数種類の各免許販売可能商品ジャンルリスト２３、各免許購入可能商品ジャンルリスト２４、または各免許購入可能販売者業種リスト２６を用いて販売希望商品を販売可能な状態にするかどうかの判断や購入可能な状態にするかどうかの判断を複数通り行えるようになっていてもよい。例えば、管理サーバが、専門業者専門のショッピングモールのサイトと一般人向けのショッピングモールのサイトを運営し、サイトによって、各免許購入可能商品ジャンルリスト２４、または各免許購入可能販売者業種リスト２６が異なり、販売希望商品を販売可能な状態にするかどうかの判断や購入可能な状態にするかどうかの判断が異なるようにしてもよい。あるいは、管理サーバが、ショッピングモールのサイトとオークションのサイトを運営し、販売希望商品を販売可能な状態にするかどうかの判断や購入可能な状態にするかどうかの判断が異なるようにしてもよい。これにより、例えば、同一の商品の同一のユーザによる販売が、ショッピングモールのサイトでは不可能であるが、オークションのサイトでは可能となるようにできる。
【００７９】
また、用いるデータは上記実施形態で示したものに限定されない。例えば、あらかじめ、各ユーザの免許で販売可能な商品ジャンルを示すリストが用意されており、販売側のユーザの免許のチェック時にはそのリストだけが参照されるようにしてもよい。同様に、各ユーザの免許で購入可能な商品ジャンルを示すリストが用意されており、購入側のユーザの免許のチェック時にはそのリストだけが参照されるようにしてもよい。
【００８０】
また、上記実施形態で用いた各免許販売可能商品ジャンルリスト２３、各免許購入可能商品ジャンルリスト２４、および各免許購入可能販売者業種リスト２６は、実際の法律に従ったものではない。また、チェックの対象となる免許もこれらに挙げたものに限らない。
【産業上の利用可能性】
【００８１】
本発明に係るネットワーク売買システムは、インターネット売買システムにおいて、システムのユーザが法律上販売できない商品を販売すること、およびシステムのユーザが法律上購入できない商品を購入することが防止されるという効果を有し、例えば、医薬品の売買を仲介するインターネット通販システムやインターネットオークションシステム等として有用である。
【図面の簡単な説明】
【００８２】
【図１】本発明の実施形態１に係るネットワーク売買システムの構成を示す図である。
【図２】同、各ユーザ免許リスト２２の例を示す図である。
【図３】同、各免許販売可能商品ジャンルリスト２３の例を示す図である。
【図４】同、各免許購入可能商品ジャンルリスト２４の例を示す図である。
【図５】同、各ユーザ業種リスト２５の例を示す図である。
【図６】同、各免許購入可能販売者業種リスト２６の例を示す図である。
【図７】同、ユーザが販売を希望する販売希望商品を販売商品として管理サーバ２１に登録させる場合に管理サーバ２１が実行するステップを示すフローチャートである。
【図８】同、管理サーバ２１が記録する各販売希望商品の情報の例を示す説明図である。
【図９】同、商品の購入を希望するユーザが、ユーザ端末から管理サーバ２１にアクセスした場合に管理サーバ２１が実行するステップを示すフローチャートである。
【図１０】同、販売希望商品を登録している店舗名が表示されている購入希望ユーザ端末の画面の例を示す図である。
【図１１】同、登録されている販売希望商品の商品カテゴリが表示されている購入希望ユーザ端末の画面の例を示す図である。
【図１２】同、（Ｓ２００５）で購入希望ユーザによって選択された商品カテゴリの商品のうち、商品ジャンルがその商品の販売を希望するユーザの免許で販売できる商品の商品ジャンルに含まれるものの商品名が表示されている購入希望ユーザ端末の画面の例を示す図である。
【図１３】同、「胃腸薬Ｃ」を販売できないことを示すメッセージが表示されている購入希望ユーザ端末の画面の例を示す図である。
【図１４】同、商品セット名、および購入ボタンが表示されている購入希望ユーザ端末の画面の例を示す図である。
【図１５】同、商品セット名が表示されている購入希望ユーザ端末の画面の例を示す図である。
【図１６】本発明の実施形態２に係る管理サーバ２１が（Ｓ１００１）の後で実行するステップを示すフローチャートである。
【図１７】同、販売商品登録ボタンと購入商品選択ボタンが表示されているログインしたユーザのユーザ端末の画面の例を示す図である。
【符号の説明】
【００８３】
１ａ〜１ｆ    ユーザ
１１ａ〜１１ｆ  ユーザ端末
２１    管理サーバ
２２    各ユーザ免許リスト
２３    各免許販売可能商品ジャンルリスト
２４    各免許購入可能商品ジャンルリスト
２５    各購入者業種リスト
２６    各免許購入可能販売者業種リスト
【図１】
2007304635.tif 000003
【図２】
2007304635.tif 000004
【図３】
2007304635.tif 000005
【図４】
2007304635.tif 000006
【図５】
2007304635.tif 000007
【図６】
2007304635.tif 000008
【図７】
2007304635.tif 000009
【図８】
2007304635.tif 000010
【図９】
2007304635.tif 000011
【図１０】
2007304635.tif 000012
【図１１】
2007304635.tif 000013
【図１２】
2007304635.tif 000014
【図１３】
2007304635.tif 000015
【図１４】
2007304635.tif 000016
【図１５】
2007304635.tif 000017
【図１６】
2007304635.tif 000018
【図１７】
2007304635.tif 000019